(57)【要約】      （修正有）【課題】流体中の異物を効率良く除去できるストレーナ装置を提供する。【解決手段】流入ポート１３と流出ポート１４とを連通する流路１５中に取付口２０が形成されたハウジング１２と、取付口２０に着脱自在に装着されるキャップ２１とを備え、取付口２０から流路１５内に着脱自在に装着されるスクリーン２２により、流路１５内を流動する流体中の異物Ｂを捕集するストレーナ装置１１において、スクリーン２２の取付口２０側の開口部を閉塞するとともにハウジング１２との間で取付口２０を密閉する非磁性体製のカバー部材２３を設ける。このカバー部材２３とキャップ２１との間で形成される磁石収容室に円筒形状の永久磁石２５を配し、永久磁石２５の流入ポート１３側に対向する端面側に生ずる磁力によって、流体中の微小金属片等の磁性を有する異物Ａをカバー部材２３に付着させる。【選択図】図１
2010279886.tif 000002
【特許請求の範囲】
【請求項１】
流体が供給される流入ポートおよび流体を流出する流出ポートを備え、前記流入ポートと前記流出ポートとを連通する流路中に取付口が形成されたハウジングと、
前記取付口に着脱自在に取り付けられ、前記取付口を閉塞するキャップと、
前記流入ポート側および前記取付口側に開口する筒状に形成され、前記取付口から前記流路内に着脱自在に装着されて流体中の異物を捕集するスクリーンと、
非磁性体材料により形成され、前記スクリーンの前記取付口側の開口部を閉塞するカバー部材と、
前記カバー部材により流体から遮断された状態で前記取付口に配され、前記流入ポート側に対向する端面側に生ずる磁力によって、流体中の磁性を有する異物を前記カバー部材に付着させる磁石とを有することを特徴とするストレーナ装置。
【請求項２】
請求項１記載のストレーナ装置において、前記取付口は前記カバー部材と前記ハウジングとの間で密閉され、前記磁石は前記カバー部材と前記キャップとの間に配されていることを特徴とするストレーナ装置。
【請求項３】
請求項１記載のストレーナ装置において、前記取付口は前記キャップと前記ハウジングとの間で密閉され、前記磁石は前記カバー部材に包被されていることを特徴とするストレーナ装置。
【請求項４】
請求項１記載のストレーナ装置において、前記取付口は前記カバー部材と一体に形成された前記キャップと前記ハウジングとの間で密閉され、前記磁石は前記キャップ内に配されていることを特徴とするストレーナ装置。
【請求項５】
請求項１〜４のいずれか１項に記載のストレーナ装置において、前記磁石は円筒状または円板状に形成されていることを特徴とするストレーナ装置。
【発明の詳細な説明】
【技術分野】
【０００１】
本発明は、流体配管路内を流動する流体中の異物を捕集するストレーナ装置に関し、特に、流体中の微小金属片等の磁性を有する微小異物を除去可能とした永久磁石内蔵のストレーナ装置に関する。
【背景技術】
【０００２】
例えば、流体配管路を流動する蒸気や圧縮空気などの流体中には、塵埃等の固形の異物が多く含まれており、これらの異物は圧力制御弁の弁座に噛み込まれたり方向制御弁の摺動部の隙間に挟まれたりして、制御弁やその他の流体機器の作動不良を起こす原因となる。そのため、蒸気管等の流体配管路には、流体配管路内を流動する流体中の異物を濾過するためのストレーナ装置が設けられている。このストレーナ装置は、流入ポートと流出ポートとを連通する流路内に着脱自在に装着される筒状のスクリーンを備えており、流体がスクリーンを通過する際に流体中の異物がスクリーンの網目で捕集されるようになっている。
【０００３】
しかしながら、流体配管路内を流動する流体には、金属配管材の内壁や流体機器から剥がれ落ちる微小金属片や摩耗片等の磁性を有する微小異物も多く含まれており、これらの磁性を有する微小異物がスクリーンの網目を通過して流体機器の隙間や摺動部に積層することで流体機器の作動に影響を及ぼすこととなる。この磁性を有する微小異物を除去するために、微小金属片や摩耗片を捕集可能な微細な網目を有するスクリーンをストレーナ装置に装着することも考えられるが、その場合には、スクリーンの網目が目詰まりしやすくメンテナンス頻度が高くなる。
【０００４】
そこで、例えば、特許文献１に記載されるように、永久磁石の磁力により流体中の微小金属片等の磁性を有する微小異物を吸着するようにした永久磁石内蔵のストレーナ装置がある。この永久磁石は筒状のスクリーンの内側に配されており、スクリーンを着脱するための取付口から永久磁石を着脱することが可能であるため、ストレーナ装置を大型化することなく既設のストレーナ装置に永久磁石を取り付けることができるようになっている。また、特許文献２には、永久磁石を非磁性体製のカバー部材により覆うことで永久磁石を流体から遮断し、流体との接液によって永久磁石が腐食することを防止するようにしたストレーナ装置が記載されている。
【先行技術文献】
【特許文献】
【０００５】
【特許文献１】実開昭６０−１６８５５６号公報
【特許文献２】特開平８−１１７５１７号公報
【発明の概要】
【発明が解決しようとする課題】
【０００６】
ところで、特許文献１に記載されるストレーナ装置においては、永久磁石が細長棒状に形成されており、永久磁石がスクリーンの軸方向のほぼ全体にわたって対向するように流路内に突出して配されている。また、特許文献２に記載されるストレーナ装置においては、カバー部材がスクリーンの軸方向のほぼ全体にわたって対向するように流路内に突出して配されており、永久磁石がカバー部材内に取り付けられている。これにより、流体の流速が比較的大きい流路の中央部分において、流体中の磁性を有する微小異物が永久磁石やカバー部材の外面に付着されることとなる。そのため、永久磁石やカバー部材の外面に付着した磁性を有する微小異物が再び流体により剥ぎ落とされることで、流体中の異物の除去を効率良く行うことができないおそれがある。
【０００７】
また、永久磁石やカバー部材を流路内に突出して配置した場合には、スクリーン内側の流路が実質的に狭くなり、スクリーン内側へ流入する流体に対する抵抗が大きくなるため、流体配管路内を流動する流体のエネルギ損失が増大することとなる。さらに、永久磁石を細長棒状に形成しているので永久磁石に市販品を用いることが困難であり、ストレーナ装置の製造コストが高くなる。
【０００８】
本発明の目的は、流体中の異物を効率良く除去することにある。
【０００９】
本発明の他の目的は、製造コストを低減することにある。
【課題を解決するための手段】
【００１０】
本発明のストレーナ装置は、流体が供給される流入ポートおよび流体を流出する流出ポートを備え、前記流入ポートと前記流出ポートとを連通する流路中に取付口が形成されたハウジングと、前記取付口に着脱自在に取り付けられ、前記取付口を閉塞するキャップと、前記流入ポート側および前記取付口側に開口する筒状に形成され、前記取付口から前記流路内に着脱自在に装着されて流体中の異物を捕集するスクリーンと、非磁性体材料により形成され、前記スクリーンの前記取付口側の開口部を閉塞するカバー部材と、前記カバー部材により流体から遮断された状態で前記取付口に配され、前記流入ポート側に対向する端面側に生ずる磁力によって、流体中の磁性を有する異物を前記カバー部材に付着させる磁石とを有することを特徴とする。
【００１１】
本発明のストレーナ装置は、前記取付口は前記カバー部材と前記ハウジングとの間で密閉され、前記磁石は前記カバー部材と前記キャップとの間に配されていることを特徴とする。
【００１２】
本発明のストレーナ装置は、前記取付口は前記キャップと前記ハウジングとの間で密閉され、前記磁石は前記カバー部材に包被されていることを特徴とする。
【００１３】
本発明のストレーナ装置は、前記取付口は前記カバー部材と一体に形成された前記キャップと前記ハウジングとの間で密閉され、前記磁石は前記キャップ内に配されていることを特徴とする。
【００１４】
本発明のストレーナ装置は、前記磁石は円筒状または円板状に形成されていることを特徴とする。
【発明の効果】
【００１５】
本発明によれば、流入ポート側からスクリーンの内側に流入する流体の流れにより取付口側に押し流された流体中の磁性を有する異物を、取付口に配された磁石の流入ポート側に対向する端面側に生ずる磁力によってカバー部材の外面に付着させるようにしたので、磁石およびカバー部材を棒状に形成して流路内に突出して配することなく、流体中の磁性を有する異物を除去することが可能となる。これにより、流体の流速の比較的小さい流路の内壁近傍において、磁性を有する異物がカバー部材の外面に付着されることとなるため、カバー部材に付着した磁性を有する異物が再び流体により剥ぎ落とされることが抑制され、流体中の異物の除去を効率良く行うことができる。また、流路内に磁石やカバー部材を突出させた場合に比べて、スクリーンの内側の流路が実質的に広くなり、スクリーンの内側に流入する流体に対する抵抗が小さくなるので、流体配管路内を流動する流体のエネルギ損失が減少し、流体機器の駆動効率を向上させることができる。さらに、磁石を円筒形状または円板形状としたので、磁石に市販品を用いることが可能となるとともに、カバー部材を棒状に形成する必要がなくカバー部材の成形が容易となり、ストレーナ装置の製造コストを低減することができる。
【図面の簡単な説明】
【００１６】
【図１】本発明の第一実施形態のストレーナ装置を示す断面図である。
【図２】図１のストレーナ装置を一部拡大して示す断面図である。
【図３】図１のストレーナ装置を分解して示す断面図である。
【図４】本発明の第二実施形態のストレーナ装置を示す断面図である。
【図５】図４のストレーナ装置を一部拡大して示す断面図である。
【図６】図４のストレーナ装置を分解して示す断面図である。
【図７】本発明の第三実施形態のストレーナ装置を示す断面図である。
【図８】図７のストレーナ装置を一部拡大して示す断面図である。
【図９】図７のストレーナ装置を分解して示す断面図である。
【図１０】図１に示すストレーナ装置の変形例を一部拡大して示す断面図である。
【発明を実施するための形態】
【００１７】
以下、本発明の実施の形態を図面に基づいて詳細に説明する。このストレーナ装置１１は流体配管路に設けられて、流体配管路内を流動する蒸気や圧縮空気などの流体中に含まれる塵埃や微小金属片等の固形異物を除去するために用いられる。図１に示すように、ストレーナ装置１１は流体配管路の一部を構成するハウジング１２を有している。ハウジング１２は、上流側に連結されて流体が供給される流入ポート１３と、下流側に連結されて流体を流出する流出ポート１４とを備えており、これら流入ポート１３と流出ポート１４とを連通する流路１５中にスクリーン収容室１６が形成された略Ｙ字状に形成されている。つまり、このストレーナ装置１１は所謂Ｙ形ストレーナとなっている。流入ポート１３と流出ポート１４とは略同軸状に形成されており、流入ポート１３および流出ポート１４には配管接続用の雌ねじが切られている。
【００１８】
図３に示すように、ハウジング１２には、スクリーン収容室１６と流入ポート１３側とを連通する円形の連通孔１７が形成された隔壁１８が設けられている。連通孔１７は、隔壁１８の段差部１８ａにより、流入ポート１３側の小径部１７ａとスクリーン収容室１６側の大径部１７ｂとを備えた段付き孔形状となっており、この連通孔１７を介して、スクリーン収容室１６と流入ポート１３側とは、流入ポート１３と流出ポート１４とを結ぶ軸線に対して傾斜した方向に連通している。一方、スクリーン収容室１６と流出ポート１４側とは、スクリーン収容室１６と流入ポート１３側との連通方向に対してほぼ直交する方向に連通している。これにより、ハウジング１２の内部には、流入ポート１３からスクリーン収容室１６を通って流出ポート１４へ流体が流動可能な流路１５が屈曲して形成されている。
【００１９】
また、ハウジング１２には、スクリーン収容室１６において連通孔１７と対向する側に開口する円形の取付口２０が形成されている。取付口２０は連通孔１７と略同軸状となるように流路１５中に形成されており、スクリーン収容室１６は取付口２０を介してハウジング１２の外部と連通している。この取付口２０は、ハウジング１２に設けられた段差部１２ａにより、スクリーン収容室１６側の小径部２０ａと開口側の大径部２０ｂとを備えた段付き孔形状となっている。取付口２０の大径部２０ｂにはキャップ取付用の雌ねじが切られており、取付口２０の大径部２０ｂにキャップ２１が着脱自在に取り付けられて、取付口２０がキャップ２１により閉塞されるようになっている。このキャップ２１には、スクリーン収容室１６側に開口する円形の収容溝２１ａが形成されている。
【００２０】
スクリーン収容室１６内には、流体中の異物を捕集するためのスクリーン２２が取付口２０から着脱自在に装着されている。スクリーン２２は、無数の微細な網目を有するステンレス鋼等の非磁性体製の金網により、流入ポート１３側および取付口２０側に開口するとともに流出ポート１４側に側壁が対向する円筒形状に形成されている。スクリーン２２の流入ポート１３側の開口端部は、連通孔１７の大径部１７ｂに挿入されて、隔壁１８の段差部１８ａに突き当てられている。一方、図２に示すように、スクリーン２２の取付口２０側の開口端部は取付口２０の小径部２０ａに挿入され、スクリーン２２の取付口２０側の開口端部にカバー部材２３が突き当てられている。つまり、スクリーン２２は取付口２０から流路１５内へ配されて、これら隔壁１８とカバー部材２３との間で固定されている。なお、スクリーン２２としては、ステンレス鋼等の非磁性体製の金属板に無数の小さな孔をあけた多孔製金属プレートや樹脂製繊維を円筒状に形成したものを用いてもよい。
【００２１】
カバー部材２３はステンレス鋼等の非磁性体材料により形成され、キャップ２１側に開口する収容室２３ａが形成された有底円筒形状の被覆部２３ｂと、被覆部２３ｂの開口端部から径方向外側に延びる被狭持部２３ｃとを備えている。このカバー部材２３は、被覆部２３ｂがスクリーン２２の取付口２０側の開口部内に突出されるとともに、被狭持部２３ｃがスクリーン２２の取付口２０側の開口端部に突き当てられた状態で配されており、スクリーン２２の取付口２２側の開口部がカバー部材２３により閉塞されている。そして、流路１５の取付口２０側の内壁がカバー部材２３の被覆部２３ｂにより形成されている。また、カバー部材２３の被狭持部２３ｃはハウジング１２の段差部１２ａとキャップ２１との間で狭持されており、これにより、カバー部材２３とともにスクリーン２２がハウジング１２に対して固定されている。ハウジング１２の段差部１２ａには、カバー部材２３の被狭持部２３ｃに当接するシール材としてのＯリング２４が装着されており、取付口２０はハウジング１２とカバー部材２３との間で密閉されている。
【００２２】
図２に示すように、カバー部材２３がハウジング１２の段差部１２ａとキャップ２１との間で固定された状態では、カバー部材２３の収容室２３ａとキャップ２１の収容溝２１ａとが連通されており、これら収容室２３ａと収容溝２１ａとにより磁石収容室が形成されている。この磁石収容室内には、流体中の微小金属片等の磁性を有する微小異物を除去するために、円筒形状の永久磁石２５がその軸方向をスクリーン２２の軸方向に向けて配置されている。永久磁石２５は取付口２０に配されてカバー部材２３とキャップ１２との間で固定されており、スクリーン２２の内側には、永久磁石２５における流入ポート１３側つまり流路１５側に対向する端面側に生じる磁力が働いている。また、この永久磁石２５は、流路１５に対向する面がカバー部材２３により覆われて流路１５内を流動する流体と遮断されており、流体との接液によって永久磁石２５が腐食することが防止されるようになっている。
【００２３】
このストレーナ装置１１に供給される流体は、流入ポート１３からスクリーン２２の内側に流入し、スクリーン２２を通過して流出ポート１４から流出される。このとき、流入ポート１３からスクリーン２２の内側に流入する流体は、流入ポート１３側とスクリーン収容室１６との連通方向に沿って取付口２０側に向けて流入するため、その流体の流れによって流体中の異物が取付口２０側に押し流されることとなる。取付口２０側に押し流された異物のうち微小金属片等の磁性を有する異物Ａは、取付口２０に配された永久磁石２５の流入ポート１３側に対向する端面側に生ずる磁力により引き寄せられ、カバー部材２３の被覆部２３ｂの外面に付着される。また、塵埃等の磁性を有さない異物Ｂは、スクリーン２２を通過する際にスクリーン２２の網目で捕集されることとなる。これにより、流体中の異物がストレーナ装置１１により濾過されるため、ストレーナ装置１１の下流側に設けられる流体機器に異物が噛み込む等して作動不良を起こすことが防止されるようになっている。なお、スクリーン２２の網目が目詰まりしたり、カバー部材２３に磁性を有する異物Ａが積層した場合には、取付口２０からスクリーン２２やカバー部材２３が取り外されて、これらに付着した異物Ａ，Ｂを除去することで、ストレーナ装置１１を繰り返し使用することができるようになっている。
【００２４】
このように、流入ポート１３側からスクリーン２２の内側に流入する流体の流れにより取付口２０側に押し流された流体中の磁性を有する異物Ａを、取付口２０に配された永久磁石２５の流入ポート１３側に対向する端面側に生ずる磁力によってカバー部材２３の外面に付着させるようにしたので、永久磁石２５およびカバー部材２３を棒状に形成して流路１５内に突出して配することなく、流体中の磁性を有する異物Ａを除去することが可能となる。これにより、流体の流速の比較的小さい流路１５の内壁近傍において、磁性を有する異物Ａがカバー部材２３の外面に付着されることとなるため、カバー部材２３の外面に付着した磁性を有する異物Ａが再び流体により剥ぎ落とされることが抑制され、流体中の異物の除去を効率良く行うことができる。
【００２５】
また、流路１５内に永久磁石２５やカバー部材２３を突出させた場合に比べて、スクリーン２２の内側の流路が実質的に広くなり、スクリーン２２の内側に流入する流体に対する抵抗が小さくなる。したがって、流体配管路内を流動する流体のエネルギ損失が減少するので、流体機器の駆動効率を向上させることができる。さらに、永久磁石２５を円筒形状としたので、永久磁石２５に市販品を用いることが可能となるとともに、カバー部材２３を棒状に形成する必要がないためカバー部材２３の成形が容易となり、ストレーナ装置１１の製造コストを低減することができる。
【００２６】
これまで説明したように、図１〜図３に示すストレーナ装置１１にあっては、取付口２０をカバー部材２３とハウジング１２との間で密閉し、永久磁石２５をカバー部材２３とキャップ２１との間に配することで、流路１５内を流動する流体から永久磁石２５を遮断するようにしているが、これに限定されることはない。ここで、図４は本発明の第二実施形態のストレーナ装置を示す断面図であり、図５は図４のストレーナ装置を一部拡大して示す断面図であり、図６は図４のストレーナ装置を分解して示す断面図である。図７は本発明の第三実施形態のストレーナ装置を示す断面図であり、図８は図７のストレーナ装置を一部拡大して示す断面図であり、図９は図７のストレーナ装置を分解して示す断面図である。なお、図４〜図９において、図１〜図３に示す部材と同様の部材については同一の符号を付してその説明を省略する。
【００２７】
図４に示すストレーナ装置３０は、流体中の微小金属片等の磁性を有する微小異物を除去するための永久磁石２５を備えた永久磁石内蔵のストレーナ装置である。ハウジング１２に形成された取付口２０の大径部２０ｂにはキャップ３１が着脱自在に取り付けられて、取付口２０がキャップ３１により閉塞されるようになっている。
【００２８】
スクリーン収容室１６内に着脱自在に装着されるスクリーン２２は、その流入ポート１３側の開口端部が連通孔１７の大径部１７ｂに挿入されて、隔壁１８の段差部１８ａに突き当てられている。一方、図５に示すように、スクリーン２２の取付口２０側の開口端部は取付口２０の小径部２０ａに挿入され、スクリーン２２の取付口２０側の開口端部にカバー部材３２が突き当てられている。つまり、スクリーン２２は取付口２０から流路１５内へ配されて、これら隔壁１８とカバー部材３２との間で固定されている。
【００２９】
ステンレス鋼等の非磁性体材料により形成されたカバー部材３２は、キャップ３１側に開口する収容室３３ａが形成された有底円筒形状の被覆部３３ｂと、被覆部３３ｂの開口端部から径方向外側に延びる被狭持部３３ｃとを備えた収容部材３３、および収容部材３３の開口端部に突き当てられて収容室３３ａを閉塞する円板形状の閉塞部材３４を有している。収容部材３３と閉塞部材３４とは、収容部材３３の被狭持部３３ｃと閉塞部材３４の外周部に形成された被狭持部３４ａとにおいて溶接等の固定手段により固着されており、カバー部材３２の内部には収容室３３ａにより磁石収容室が密閉された状態で形成されている。
【００３０】
このカバー部材３２は、被覆部３３ｂがスクリーン２２の取付口２０側の開口部内に突出されるとともに、被狭持部３３ｃがスクリーン２２の取付口２０側の開口端部に突き当てられた状態で配されており、スクリーン２２の取付口２０側の開口部がカバー部材３２により閉塞されている。そして、流路１５の取付口２０側の内壁がカバー部材３２の被覆部３３ｂにより形成されている。また、カバー部材３２の被狭持部３３ｃ，３４ａはスクリーン２２の取付口２０側の開口端部とキャップ３１との間で狭持されており、これにより、カバー部材３２とともにスクリーン２２がハウジング１２に対して固定されている。ハウジング１２の段差部１２ａには、キャップ３１に当接するシール材としてのＯリング２４が装着されており、取付口２０はハウジング１２とキャップ３１との間で密閉されている。
【００３１】
カバー部材３２内に形成された磁石収容室内には、流体中の微小金属片等の磁性を有する微小異物を除去するために、円筒形状の永久磁石２５がその軸方向をスクリーン２２の軸方向に向けて配置されている。永久磁石２５は取付口２０に配されたカバー部材３２内に固定されており、スクリーン２２の内側には、永久磁石２５における流入ポート１３側つまり流路１５側に対向する端面側に生じる磁力が働いている。また、この永久磁石２５は、カバー部材３２により包被されて流路１５内を流動する流体と遮断されており、流体との接液によって永久磁石２５が腐食することが防止されるようになっている。
【００３２】
このように、図４〜図６に図示するストレーナ装置３０にあっては、取付口２０をキャップ３１とハウジング１２との間で密閉し、永久磁石２５をカバー部材３２により包被することで、流路１５内を流動する流体から永久磁石２５を遮断するようしている。このストレーナ装置３０においても、上記のストレーナ装置１１と同様の効果を奏することができるのはもちろんである。また、本実施形態のストレーナ装置３０においては、永久磁石２５をカバー部材３２により包被して永久磁石２５とカバー部材３２とをユニット化しているので、永久磁石２５およびカバー部材３２の着脱を容易に行うことが可能となっている。
【００３３】
続いて、図７に示すストレーナ装置４０は、流体中の微小金属片等の磁性を有する微小異物を除去するための永久磁石２５を備えた永久磁石内蔵のストレーナ装置である。ハウジング１２に形成された取付口２０の大径部２０ｂにはキャップ４１が着脱自在に取り付けられて、取付口２０がキャップ４１により閉塞されるようになっている。キャップ４１には、ハウジング１２の取付口２０側の開口端部に当接するシール部材としてのＯリング４２が装着されており、取付口２０はキャップ４１とハウジング１２との間で密閉されている。なお、本実施形態のストレーナ装置４０においてはキャップ４１にＯリング４２を装着するようにしたが、上記実施形態のストレーナ装置１１，３０のようにハウジング１２の段差部１２ａにＯリング２４を装着して、取付口２０をキャップ４１とハウジング１２との間で密閉するようにしてもよい。
【００３４】
スクリーン収容室１６内に着脱自在に装着されるスクリーン２２は、その流入ポート１３側の開口端部が連通孔１７の大径部１７ｂに挿入されて、隔壁１８の段差部１８ａに突き当てられている。一方、図８に示すように、スクリーン２２の取付口２０側の開口端部は取付口２０の小径部２０ａに挿入され、スクリーン２２の取付口２０側の開口端部にカバー部材４３が突き当てられている。つまり、スクリーン２２は取付口２０から流路１５内へ配されて、これら隔壁１８とカバー部材４３との間で固定されている。
【００３５】
ステンレス鋼等の非磁性体材料により形成されたカバー部材４３は、キャップ４１側に開口する収容室４３ａが形成された有底円筒形状の被覆部４３ｂと、被覆部４３ｂの開口端部から径方向外側に延びる当接部４３ｃとを備えている。このカバー部材４３は、被覆部４３ｂがスクリーン２２の取付口２０側の開口部内に突出されるとともに、当接部４３ｃがスクリーン２２の取付口２０側の開口端部に突き当てられた状態で配されており、スクリーン２２の取付口２０側の開口部がカバー部材４３により閉塞されている。そして、流路１５の取付口２０側の内壁がカバー部材４３の被覆部４３ｂにより形成されている。また、カバー部材４３はキャップ４１のスクリーン収容室１６側に一体に形成されており、キャップ４１が取付口２０に取り付けられることにより、カバー部材４３とともにスクリーン２２がハウジング１２に対して固定されている。
【００３６】
キャップ４１内には、カバー部材４３の収容室４３ａに連通するとともにカバー部材４３側とは反対側に開口する収容孔４１ａが形成されている。収容孔４１ａの開口側には固定ねじ取付用の雌ねじが切られており、収容孔４１ａに固定ねじ４４が着脱自在に取り付けられて、収容孔４１ａの開口側が閉塞されるようになっている。これにより、キャップ４１内には、カバー部材４３の収容室４３ａとキャップ４１の収容孔４１ａとによって磁石収容室が形成されている。この磁石収容室内には、流体中の微小金属片等の磁性を有する微小異物を除去するために、円筒形状の永久磁石２５がその軸方向をスクリーン２２の軸方向に向けて配置されている。永久磁石２５は、取付口２０に取り付けられたキャップ４１内に固定されており、スクリーン２２の内側には、永久磁石２５における流入ポート１３側つまり流路１５側に対向する端面側に生じる磁力が働いている。また、この永久磁石２５は、流路１５に対向する面がキャップ４１と一体に形成されたカバー部材４３により覆われて流路１５内を流動する流体と遮断されており、流体との接液によって永久磁石２５が腐食することが防止されるようになっている。
【００３７】
このように、図７〜図９に図示するストレーナ装置４０にあっては、取付口２０をカバー部材４３と一体に形成されたキャップ４１とハウジング１２との間で密閉し、永久磁石２５をキャップ４１内に配することで、流路１５内を流動する流体から永久磁石２５を遮断するようにしている。このストレーナ装置４０においても、上記のストレーナ装置１１と同様の効果を奏することができるのはもちろんである。また、本実施形態においては、カバー部材４３と一体に形成されたキャップ４１内に永久磁石２５を着脱自在に固定するようにしたので、カバー部材４３の外面に付着した磁性を有する異物を除去する際に、キャップ４１から永久磁石２５を取り外してカバー部材４３に付着した磁性を有する異物に磁力が働かないようにすることで、カバー部材４３に付着した異物を容易に除去することが可能となっている。なお、上記のストレーナ装置１１においても、カバー部材２３内から永久磁石２５を取り外すことで、カバー部材２３に付着した異物を容易に除去することが可能となることはもちろんである。
【００３８】
また、これまで説明したように、図１〜図９に示すストレーナ装置１１，３０，４０にあっては、円筒形状の永久磁石２５を用いるようにしているが、これに限定されず、例えば、円板形状の永久磁石を用いるようにしてもよい。ここで、図１０は図１に示すストレーナ装置の変形例を一部拡大して示す断面図である。なお、図１０において、図２に示す部材と同様の部材については同一の符号を付してその説明を省略する。
【００３９】
図１０に示すストレーナ装置５０は、流体中の微小金属片等の磁性を有する微小異物を除去するための永久磁石５１を備えた永久磁石内蔵のストレーナ装置である。ハウジング１２に形成された取付口２０の大径部２０ｂにはキャップ２１が着脱自在に取り付けられて、取付口２０がキャップ２１により閉塞されるようになっている。このキャップ２１には、スクリーン収容室１６側に開口する円形の収容溝２１ａが形成されている。
【００４０】
スクリーン収容室１６内に着脱自在に装着されるスクリーン２２は、その流入ポート１３側の開口端部が連通孔１７の大径部１７ａに挿入されて、隔壁１８の段差部１８ａに突き当てられている。一方、スクリーン２２の取付口２０側の開口端部は取付口２０の小径部２０ａに挿入され、スクリーン２２の取付口２０側の開口端部にカバー部材５２が突き当てられている。つまり、スクリーン２２は、取付口２０から流路１５内へ配されて、これら隔壁１８とカバー部材５２との間で固定されている。
【００４１】
ステンレス鋼等の非磁性体材料により形成されたカバー部材５２は、ハウジング１２の段差部１２ａに当接される円板形状となっている。このカバー部材５２は、スクリーン２２の取付口２０側の開口端部に突き当てられた状態で配されており、スクリーン２２の取付口２０側の開口部がカバー部材５２により閉塞されている。そして、流路１５の取付口２０側の内壁がカバー部材５２により形成されている。また、カバー部材５２の外周部に形成された被狭持部５２ａはハウジング１２の段差部１２ａとキャップ２１との間で狭持されており、これにより、カバー部材５２とともにスクリーン２２がハウジング１２に対して固定されている。ハウジング１２の段差部１２ａには、カバー部材５２の被狭持部５２ａに当接するＯリング２４が装着されており、取付口２０はハウジング１２とカバー部材５２との間で密閉されている。
【００４２】
カバー部材５２がハウジング１２の段差部１２ａとキャップ２１との間で固定された状態では、キャップ２１の収容溝２１ａがカバー部材５２により閉塞されており、収容溝２１ａにより磁石収容室が形成されている。この磁石収容室内には、流体中の微小金属片等の磁性を有する微小異物を除去するために、円板形状の永久磁石５１がその軸方向をスクリーン２２の軸方向に向けて配置されている。永久磁石５１は取付口２０に配されてカバー部材５２とキャップ２１との間で固定されており、スクリーン２２の内側には、永久磁石５１における流入ポート１３側つまり流路１５側に対向する端面側に生じる磁力が働いている。また、この永久磁石５１は、流路１５に対向する面がカバー部材５２により覆われて流路１５内を流動する流体と遮断されており、流体との接液によって永久磁石５１が腐食することが防止されるようになっている。
【００４３】
このように、図１０に示すストレーナ装置５０にあっては、永久磁石５１を円板形状としたので、永久磁石５１に市販品を用いることが可能となるとともに、カバー部材５２を円板形状とすることができるのでカバー部材５２の成形が容易となり、ストレーナ装置５０の製造コストを低減することができる。このストレーナ装置５０においても、上記のストレーナ装置１１と同様の効果を奏することができるのはもちろんである。なお、本実施の形態においては、キャップ２１の収容溝２１ａにより磁石収容室を形成するようにしたが、カバー部材として図１に示すカバー部材２３を用いることで、キャップ２１に収容溝２１ａを形成することなく、カバー部材２３の収容室２３ａにより永久磁石収容室を形成するようにしてもよい。また、本実施の形態においては、図１に示すストレーナ装置１１の変形例として、円板形状の永久磁石５１を用いるようにしたストレーナ装置５０を説明したが、ストレーナ装置３０，４０においても同様に円板形状の永久磁石５１を用いてもよい。
【００４４】
本発明は前記実施の形態に限定されるものではなく、その要旨を逸脱しない範囲で種々変更可能である。例えば、前記実施の形態においては、ストレーナ装置１１，３０，５０のカバー部材２３，３２，５２をキャップ２１，３１とハウジング１２またはスクリーン２２との間で狭持することで、カバー部材２３，３２，５２をハウジング１２に対して固定するようにしたが、カバー部材２３，３２，５２をキャップ２１，３２に溶接等の固定手段により固着するようにしてもよい。
【符号の説明】
【００４５】
１１  ストレーナ装置
１２  ハウジング
１２ａ  段差部
１３  流入ポート
１４  流出ポート
１５  流路
１６  スクリーン収容室
１７  連通孔
１７ａ  小径部
１７ｂ  大径部
１８  隔壁
１８ａ  段差部
２０  取付口
２０ａ  小径部
２０ｂ  大径部
２１  キャップ
２１ａ  収容溝
２２  スクリーン
２３  カバー部材
２３ａ  収容室
２３ｂ  被覆部
２３ｃ  被狭持部
２４  Ｏリング
２５  永久磁石
３０  ストレーナ装置
３１  キャップ
３２  カバー部材
３３  収容部材
３３ａ  収容室
３３ｂ  被覆部
３３ｃ  被狭持部
３４  閉塞部材
３４ａ  被狭持部
４０  ストレーナ装置
４１  キャップ
４１ａ  収容孔
４２  Ｏリング
４３  カバー部材
４３ａ  収容室
４３ｂ  被覆部
４３ｃ  当接部
４４  固定ねじ
５０  ストレーナ装置
５１  永久磁石
５２  カバー部材
５２ａ  被狭持部
Ａ    流体中の磁性を有する異物
Ｂ    流体中の磁性を有さない異物
【図１】
2010279886.tif 000003
【図２】
2010279886.tif 000004
【図３】
2010279886.tif 000005
【図４】
2010279886.tif 000006
【図５】
2010279886.tif 000007
【図６】
2010279886.tif 000008
【図７】
2010279886.tif 000009
【図８】
2010279886.tif 000010
【図９】
2010279886.tif 000011
【図１０】
2010279886.tif 000012